(57)【要約】【課題】商品・役務検討、商品・役務購入などの消費活動の中において、リアルタイムにギフトを贈ることのできるシステムを提供する。【解決手段】贈与側携帯端末装置１０の申込画面要求手段４は、ＱＲコード（商標）から抽出された商品ＩＤを伴って、サーバ装置３０に対し申込画面の要求を行う。サーバ装置３０の申込画面生成手段２０は、商品ＩＤに対応づけて記録されている商品情報等のギフト情報２１を読み出し、申込画面を生成する。申込画面送信手段２２は、申込画面を贈与側携帯端末装置１０に送信する。サーバ装置３０の受取画面ＵＲＬ通知手段２４は、ギフト受取のための画面（受取画面）２６を生成し記録する。さらに、この受取画面２６のＵＲＬを贈与側携帯端末装置１０に通知する。贈与側携帯端末装置１０の受取画面ＵＲＬ送信手段８は、通知された受取画面２６のＵＲＬを、プレゼントを行う相手方のメールアドレス、ＳＮＳアドレス等に送信する。【選択図】図１
2019117667.tif 000002
【特許請求の範囲】
【請求項１】
贈与側携帯端末装置、受領側端末装置とサーバ装置を備えたギフト・システムであって、
前記贈与側携帯端末装置は、
撮像された画像コードから抽出されたギフトを特定するための特定ＩＤを伴って、サーバ装置に対して、少なくともギフト購入申込と自己購入申込が選択可能となされている申込画面を要求する申込画面要求手段と、
前記申込画面に基づいて、ユーザが前記贈与側携帯端末装置を操作してギフト購入申込のための操作を行うと、ギフト購入申込をサーバ装置に送信し、前記申込画面に基づいて、前記ユーザが自己購入申込のための操作を行うと、自己購入申込を前記サーバ装置に送信する申込送信手段と、
受領側ユーザが受領側端末装置を操作してギフト受取画面のＵＲＬを受け取ることができるように、ギフト受取画面のＵＲＬを、前記受領側ユーザに宛てて送信する受取画面ＵＲＬ送信手段とを備え、
前記サーバ装置は、
前記申込画面の要求に含まれる前記特定ＩＤに対応するギフト情報を記録部から取得し、当該ギフトの申込画面を生成する申込画面生成手段と、
前記ギフトの申込画面を、前記贈与側携帯端末装置に送信する申込画面送信手段と、
前記ギフト購入申込を受けて、ギフト受取画面を生成し、当該ギフト受取画面のＵＲＬを、前記贈与側携帯端末装置に通知する受取画面ＵＲＬ通知手段と、
前記受領側端末装置から受信した受取情報に基づいて、ギフトを受取先住所に配送するための処理を行い、前記贈与側携帯端末装置から受信した自己購入申込に基づいて、前記ギフトを指定されたユーザの住所に配送するための処理を行うギフト配送処理手段とを備え、
前記受領側端末装置は、
前記受取画面ＵＲＬ送信手段によって送信されたギフト受取画面のＵＲＬを受信する受取画面ＵＲＬ受信手段と、
前記ＵＲＬに基づいて、サーバ装置にアクセスしてギフト受取画面を取得して表示するギフト受取画面取得手段と、
ギフト受取画面において入力された受取先住所を含む受取情報を、サーバ装置に送信する受取情報送信手段とを備えたギフト・システム。
【請求項２】
贈与側携帯端末装置において撮像された画像コードから抽出された、ギフトを特定するための特定ＩＤを含む申込画面要求を受けて、当該申込画面要求に含まれる特定ＩＤに対応するギフト情報を記録部から取得し、当該ギフトの申込画面であって、少なくともギフト購入申込と自己購入申込が選択可能となされている申込画面を生成する申込画面生成手段と、
前記申込画面を、前記贈与側携帯端末装置に送信する申込画面送信手段と、
前記申込画面を受けた前記贈与側携帯端末装置から送信されてきたギフト購入申込を受けて、ギフト受取画面を生成し、当該ギフト受取画面のＵＲＬを、前記贈与側携帯端末装置に通知する受取画面ＵＲＬ通知手段と、
前記受取画面ＵＲＬを受けた前記贈与側携帯端末装置から転送を受けた受領側端末装置が当該受取画面ＵＲＬに基づいて取得した受取画面にて入力された受取先住所を含む受取情報を受けて、当該受取情報に基づいて、ギフトを受取先住所に配送するための処理を行い、前記贈与側携帯端末装置から受信した自己購入申込に基づいて、前記ギフトを指定されたユーザの住所に配送するための処理を行うギフト配送処理手段と、
を備えたサーバ装置。
【請求項３】
撮像された画像コードから抽出されたギフトを特定するための特定ＩＤを伴って、サーバ装置に対して、少なくともギフト購入申込と自己購入申込が選択可能となされている申込画面を要求する申込画面要求手段と、
前記申込画面に基づいて、ユーザが購入申込のための操作を行うと、ギフト購入申込をサーバ装置に送信し、前記申込画面に基づいて、前記ユーザが自己購入申込のための操作を行うと、自己購入申込を前記サーバ装置に送信する申込送信手段と、
受領側ユーザが受領側端末装置を操作してギフト受取画面のＵＲＬを受け取ることができるように、前記ギフト購入申込に対してサーバ装置から受信したギフト受取画面のＵＲＬを、前記受領側ユーザに宛てて送信する受取画面ＵＲＬ送信手段と、
を備えた贈与側携帯端末装置。
【請求項４】
請求項１に記載のシステムにおいて、
前記贈与側携帯端末装置は、
前記サーバ装置から申込画面要求手段を起動する指令を受けるために、撮像した画像コードから抽出した前記サーバ装置のＵＲＬに基づいて、前記サーバ装置にアクセスするサーバ装置アクセス手段をさらに備えていることを特徴とするシステム。
【請求項５】
請求項４に記載のシステムにおいて、
前記申込画面要求手段を起動する指令をサーバ装置から受けても起動しない場合には、前記申込画面要求手段を実現するためのプログラムをサーバ装置から取得するプログラム取得手段をさらに備えることを特徴とするシステム。
【請求項６】
請求項１、４又は５のいずれか一項に記載のシステムにおいて、
前記申込画面要求手段は、取得した前記贈与側携帯端末装置の撮像位置を、前記申込画面の要求に含ませ、
前記申込画面送信手段は、予め記録されている画像コードの設置位置と、送信されてきた撮像位置が所定以上ずれていれば、申込画面を送信しないことを特徴とするシステム。
【請求項７】
請求項１、４〜６のいずれか一項に記載のシステムにおいて、
前記申込画面においては、少なくともギフト購入申込と自己購入申込とストック申込が選択可能となっており、
前記申込送信手段は、前記申込画面に基づいて、ユーザがストック申込のための操作を行うと、ストック申込をサーバ装置に送信し、
前記サーバ装置は、前記ストック申込を受けて、ストックとしてこれを記録部に記録し、前記贈与側携帯端末装置からのストック一覧要求を受けて、記録されたストックの一覧を含む申込画面を送信することを特徴とするシステム。
【請求項８】
請求項１、４〜７のいずれか一項に記載のシステムにおいて、
前記贈与側携帯端末装置は、
ユーザによって入力されたキーワードと、現在位置取得部より取得した現在位置とを、前記サーバ装置に送信する送信手段と、
前記サーバ装置から受信した店舗情報を表示部に表示する表示手段とをさらに備え、
前記サーバ装置は、
各店舗の位置情報及びキーワードを記録する記録部と、
前記贈与側携帯端末装置から受けたキーワードと合致するキーワードを有し、前記贈与側携帯端末装置から受けた現在位置から所定距離内にある店舗を検索し、当該店舗の店舗情報を前記贈与側携帯端末装置に送信する店舗情報送信手段とをさらに備えたことを特徴とするシステム。
【請求項９】
請求項８に記載のシステムにおいて、
前記サーバ装置は、前記店舗情報を送信する際に、ユーザ操作によって少なくとも申込画面要求手段を起動させるための起動ボタンを送信することを特徴とするシステム。
【請求項１０】
請求項８に記載のシステムにおいて、
前記サーバ装置は、前記店舗情報を送信する際に、少なくとも申込画面要求手段を自動的に起動させる起動命令を送信することを特徴とするシステム。
【請求項１１】
贈与側携帯端末装置を携帯型のコンピュータによって実現するための贈与側携帯端末プログラムであって、前記コンピュータを、
撮像された画像コードから抽出されたギフトを特定するための特定ＩＤを伴って、サーバ装置に対して、少なくともギフト購入申込と自己購入申込が選択可能となされている申込画面を要求する申込画面要求手段と、
前記申込画面に基づいて、ユーザが購入申込のための操作を行うと、ギフト購入申込をサーバ装置に送信し、前記申込画面に基づいて、前記ユーザが自己購入申込のための操作を行うと、自己購入申込を前記サーバ装置に送信する申込送信手段と、
受領側ユーザが受領側端末装置を操作してギフト受取画面のＵＲＬを受け取ることができるように、前記ギフト購入申込に対してサーバ装置から受信したギフト受取画面のＵＲＬを、前記受領側ユーザに宛てて送信する受取画面ＵＲＬ送信手段として機能させるための贈与側携帯端末プログラム。
【請求項１２】
請求項１、４〜１０のいずれか一項に記載のシステムにおいて、
前記画像コードは、
前記ギフトの対象となる商品の近傍に置かれたポップ若しくはタグに印刷されたもの、前記商品自体に印刷されたもの、前記ギフトの対象となる商品・役務のチラシ若しくは広告に印刷されたもの、前記商品を広告若しくは紹介するテレビ放送の画面に表示されたもの、又は、雑誌の前記商品を広告若しくは紹介するページに印刷されたもののいずれかであることを特徴とするシステム。
【請求項１３】
請求項１、４〜１０又は１２のいずれか一項に記載のシステムにおいて、
前記贈与側携帯端末装置の申込画面要求手段は、
画像コード読取プログラムにより、撮像された画像コードから抽出されたＵＲＬ及び特定ＩＤを伴って、当該ＵＲＬの初期ページを要求する画像コード読取手段と、
ブラウザプログラムにより、受信した前記初期ページに記述された命令を実行して携帯端末プログラムを起動する起動手段と、
起動された携帯端末プログラムにより、前記ＵＲＬに対し、前記初期ページに記述された特定ＩＤを伴ってアクセスするアクセス手段とを備え、
前記サーバ装置の申込画面生成手段は、
前記贈与側携帯端末装置の携帯端末プログラムを起動させる命令と、受信した特定ＩＤとを記述した初期ページを生成して贈与側携帯端末装置に送信する初期ページ送信手段と、
前記携帯端末プログラムからの前記ＵＲＬに対する前記特定ＩＤを伴ったアクセスに対して、前記特定ＩＤにより特定されるギフトの申込画面を生成する生成手段とを備えていることを特徴とするシステム。
【発明の詳細な説明】
【技術分野】
【０００１】
この発明は、商品などをギフトとして相手方に贈るためのシステムに関するものである。
【背景技術】
【０００２】
インターネットを利用して、相手方に対してギフトを贈るシステムが提案され、運用されている。たとえば、本件出願人は、ウエブ上のカタログなどからギフトとして贈りたい商品を選択し、これに動画などを付して、相手方にメールにて送信するシステムを運用している（ｈｔｔｐｓ：／／ｇｉｆｔｐａｄ．ｊｐ／）。相手方は、メールに記載されたページにアクセスし、住所などを入力して、商品を受け取ることができる。
【０００３】
このようなシステムによれば、相手方の住所を知らなくとも、ギフトを贈ることができる。
【発明の概要】
【発明が解決しようとする課題】
【０００４】
上記のような従来技術においては、相手方に贈りたい商品・役務などをカタログなどから選択する必要があった。ギフトを贈る相手が決まっているが、何を贈ればよいか決まっていないような場合には、このようなカタログによるのが好ましい。
【０００５】
しかし、実際の商品を見て（実際のサービスを受けてみて）、この商品ならあの人にプレゼントしたいと思ったような場合には、上記のカタログ方式は必ずしも好ましいとはいえない。
【０００６】
たとえば、旅行先において、その土地の名産品を友人にプレゼントしようと思ったような場合、旅行途中の荷物を減らすため、上記のギフトシステムを用いることが便利である。しかし、この場合、ユーザは、ウエブサイトのカタログにアクセスし、当該名産品が対象としてリストアップされているかどうかを調べる必要があり操作が煩雑である。
【０００７】
また、カタログを作成するギフト仲介業者も、地方の名産品までカタログに掲載すると、膨大な手間がかかってしまう。このため、ユーザが検索しても、結果として当該名産品がリストアップされていない場合が多くなるという問題が生じる。
【０００８】
以上のように、実際の商品を見て（実際のサービスを受けてみて）、この商品ならあの人にプレゼントしたいと思ったような場合には、従来のギフト・システムでは、ユーザにとってもギフト仲介業者にとっても煩雑さが伴うという問題があった。
【０００９】
この発明は、上記のような問題点を解決して、ギフトのためのカタログではなく、商品・役務検討、商品・役務購入などの消費活動の中において、リアルタイムにギフトを贈ることのできるシステムを提供することを目的とする。
【課題を解決するための手段】
【００１０】
この発明の独立して適用可能ないくつかの特徴を以下に列挙する。
【００１１】
（１）（２）（３）（１２）この発明に係るギフト・システムは、贈与側携帯端末装置、受領側端末装置とサーバ装置を備えたギフト・システムであって、
前記贈与側携帯端末装置は、撮像された画像コードから抽出されたギフトを特定するための特定ＩＤを伴って、サーバ装置に対して、申込画面を要求する申込画面要求手段と、申込画面に基づいて、ユーザがギフト購入申込のための操作を行うと、ギフト購入申込をサーバ装置に送信する申込送信手段と、受領側ユーザが受領側端末装置を操作してギフト受取画面のＵＲＬを受け取ることができるように、ギフト受取画面のＵＲＬを、受領側ユーザに宛てて送信する受取画面ＵＲＬ送信手段とを備え、
前記サーバ装置は、申込画面要求に含まれる特定ＩＤに対応するギフト情報を記録部から取得し、当該ギフトの申込画面を生成する申込画面生成手段と、前記ギフト申込画面を、贈与側端末装置に送信する申込画面送信手段と、前記ギフト購入申込を受けて、ギフト受取画面を生成し、当該ギフト受取画面のＵＲＬを、贈与側端末装置に通知する受取画面ＵＲＬ通知手段と、前記受取側端末装置から受信した受取情報に基づいて、ギフトを受取先住所に配送するための処理を行うギフト配送処理手段とを備え、
前記受取側端末装置は、前記受取画面ＵＲＬ送信手段によって送信されたギフト受取画面のＵＲＬを受信する受取画面ＵＲＬ受信手段と、前記ＵＲＬに基づいて、サーバ装置にアクセスしてギフト受取画面を取得して表示するギフト受取画面取得手段と、ギフト受取画面において入力された受取先住所を含む受取情報を、サーバ装置に送信する受取情報送信手段とを備えている。
【発明の効果】
【００１２】
したがって、商品を見たときや役務の提供を受けたとき、商品の紹介や広告を見たとき等に、相手方の住所などを知らなくとも、画像コードを撮像することでギフトを行うことができる。
【００１３】
（４）（１３）この発明に係るギフト・システムは、贈与側携帯端末装置が、サーバ装置から申込画面要求手段を起動する指令を受けるために、撮像した画像コードから抽出したサーバ装置のＵＲＬに基づいて、サーバ装置にアクセスするサーバ装置アクセス手段をさらに備えていることを特徴としている。
【００１４】
したがって、申込画面要求手段を実現するプログラムを起動していなくとも、これを自動的に起動して処理を進めることができる。
【００１５】
（５）（１４）この発明に係るギフト・システムは、申込画面要求手段を起動する指令をサーバ装置から受けても起動しない場合には、前記申込画面要求手段を実現するためのプログラムをサーバ装置から取得するプログラム取得手段をさらに備えることを特徴とている。
【００１６】
したがって、申込画面要求手段を実現するプログラムがインストールされていない場合に、容易にこれを取得することができる。
【００１７】
（６）（１５）この発明に係るギフト・システムは、申込画面要求手段が、取得した前記贈与側携帯端末装置の撮像位置を、前記申込画面要求に含ませ、前記申込画面送信手段は、予め記録されている画像コードの設置位置と、送信されてきた撮像位置が所定以上ずれていれば、申込画面を送信しないことを特徴としている。
【００１８】
したがって、予め定めた位置以外からの申し込みができないように規制することが可能となる。
【００１９】
（７）（１６）この発明に係るギフト・システムは、申込画面においては、少なくともギフト購入申込と自己購入申込が選択可能となっており、前記申込送信手段は、前記申込画面に基づいて、ユーザが自己購入申込のための操作を行うと、自己購入申込をサーバ装置に送信し、前記商品配送処理手段は、前記端末装置から受信した自己購入申込に基づいて、指定されたユーザの住所に、前記商品を配送するための処理を行うことを特徴としている。
【００２０】
したがって、ギフト購入だけでなく自ら商品を購入することを選択することができる。
【００２１】
（８）（１７）この発明に係るギフト・システムは、申込画面においては、少なくともギフト購入申込とストック申込が選択可能となっており、前記申込送信手段は、前記申込画面に基づいて、ユーザがストック申込のための操作を行うと、ストック申込をサーバ装置に送信し、前記サーバ装置は、前記ストック申込を受けて、ストックとしてこれを記録部に記録し、前記贈与側携帯端末装置からのストック一覧要求を受けて、記録されたストックの一覧を含む申込画面を送信することを特徴としている。
【００２２】
したがって、その場で購入するかどうかを決定せず、後ほど購入するかどうかを検討することができる。
【００２３】
（９）（１８）この発明に係るギフトシステムは、贈与側携帯端末装置が、ユーザによって入力されたキーワードと、現在位置取得部より取得した現在位置とを、前記サーバ装置に送信する送信手段と、前記サーバ装置から受信した店舗情報を表示部に表示する表示手段とをさらに備え、
前記サーバ装置は、各店舗の位置情報およびキーワードを記録する記録部と、前記贈与側携帯端末装置から受けたキーワードと合致するキーワードを有し、前記贈与側携帯端末装置から受けた現在位置から所定距離内にある店舗を検索し、当該店舗の情報を前記贈与側携帯端末装置に送信する店舗情報送信手段とをさらに備えたことを特徴としている。
【００２４】
したがって、ユーザが興味のある店舗であって本システムを利用可能な店舗に近づいた場合に、これを告知することができる。
【００２５】
（１０）（１９）この発明に係るギフトシステムは、サーバ装置が、前記店舗情報を送信する際に、ユーザ操作によって少なくとも申込画面要求手段を起動させるための起動ボタンを送信することを特徴としている。
【００２６】
したがって、ユーザが容易に申込画面要求処理の起動を行うことができる。
【００２７】
（１１）（２０）この発明に係るギフトシステムは、サーバ装置が、前記店舗情報を送信する際に、少なくとも申込画面要求手段を自動的に起動させる起動命令を送信することを特徴としている。
【００２８】
したがって、ユーザが起動処理を行う必要がない。
【００２９】
（２１）この発明に係るギフト・システムは、前記画像コードが、商品の近傍に置かれたポップ、タグに印刷されたもの、商品自体に印刷されたもの、商品・役務のチラシ、広告に印刷されたもの、テレビジョン画面に表示されたもの、雑誌に印刷されたもののいずれかであることを特徴としている。
【００３０】
（２２）この発明に係るギフト・システムは、贈与側携帯端末装置の申込画面要求手段が、画像コード読取プログラムにより、撮像された画像コードから抽出されたＵＲＬおよび特定ＩＤを伴って、当該ＵＲＬの初期ページを要求する画像コード読取手段と、ブラウザプログラムにより、受信した初期ページに記述された命令を実行して携帯端末プログラムを起動する起動手段と、起動された携帯端末プログラムにより、前記ＵＲＬに対し、前記初期ページに記述された特定ＩＤを伴ってアクセスするアクセス手段とを備え、
前記サーバ装置の申込画面生成手段が、贈与側携帯端末装置の携帯端末プログラムを起動させる命令と、受信した特定ＩＤとを記述した初期ページを生成して贈与側携帯端末装置に送信する初期ページ送信手段と、前記携帯端末プログラムからの前記特定ＩＤを伴ったアクセスに対して、当該商品のギフト申込画面を生成する生成手段とを備えていることを特徴としている。
【００３１】
したがって、ユーザは、画像コード読取りプログラムによって画像コードを読み取ることにより、ギフト申込画面を表示させることができる。
【００３２】
（２３）（２４）（２５）（３１）この発明に係るギフト・システムは、贈与側携帯端末装置、受領側端末装置とサーバ装置を備えたギフト・システムであって、
前記贈与側携帯端末装置は、撮像された商品画像を伴って、サーバ装置に対して、申込画面を要求する申込画面要求手段と、申込画面に基づいて、ユーザがギフト購入申込のための操作を行うと、ギフト購入申込をサーバ装置に送信する申込送信手段と、受領側ユーザが受領側端末装置を操作してギフト受取画面のＵＲＬを受け取ることができるように、ギフト受取画面のＵＲＬを、受領側ユーザに宛てて送信する受取画面ＵＲＬ送信手段とを備え、
前記サーバ装置は、申込画面要求に含まれる商品画像に基づいて、商品画像一覧データベースを検索し、当該商品の商品情報を記録部から取得し、当該ギフトの申込画面を生成する申込画面生成手段と、前記ギフト申込画面を、贈与側端末装置に送信する申込画面送信手段と、前記購入申込を受けて、ギフト受取画面を生成し、当該ギフト受取画面のＵＲＬを、贈与側端末装置に通知する受取画面ＵＲＬ通知手段と、前記受取側端末装置から受信した受取情報に基づいて、ギフトを受取先住所に配送するための処理を行うギフト配送処理手段とを備え、
前記受取側端末装置は、前記受取画面ＵＲＬ送信手段によって送信されたギフト受取画面のＵＲＬを受信する受取画面ＵＲＬ受信手段と、前記ＵＲＬに基づいて、サーバ装置にアクセスしてギフト受取画面を取得して表示するギフト受取画面取得手段と、ギフト受取画面において入力された受取先住所を含む受取情報を、サーバ装置に送信する受取情報送信手段とを備えている。
【００３３】
したがって、テレビを観たときに、相手方の住所などを知らなくとも、画像コードを撮像することでギフトを行うことができる。
【００３４】
（２６）この発明に係るギフト・システムは、申込画面においては、少なくともギフト購入申込と自己購入申込が選択可能となっており、前記申込送信手段は、前記申込画面に基づいて、ユーザが自己購入申込のための操作を行うと、自己購入申込をサーバ装置に送信し、前記商品配送処理手段は、前記端末装置から受信した自己購入申込に基づいて、指定されたユーザの住所に、前記商品を配送するための処理を行うことを特徴としている。
【００３５】
したがって、ギフト購入だけでなく自ら商品を購入することを選択することができる。
【００３６】
（２７）この発明に係るギフト・システムは、申込画面においては、少なくともギフト購入申込とストック申込が選択可能となっており、前記申込送信手段は、前記申込画面に基づいて、ユーザがストック申込のための操作を行うと、ストック申込をサーバ装置に送信し、前記サーバ装置は、前記ストック申込を受けて、ストックとしてこれを記録部に記録し、前記贈与側携帯端末装置からのストック一覧要求を受けて、記録されたストックの一覧を含む申込画面を送信することを特徴としている。
【００３７】
したがって、その場で購入するかどうかを決定せず、後ほど購入するかどうかを検討することができる。
【００３８】
（２８）この発明に係るギフトシステムは、贈与側携帯端末装置が、ユーザによって入力されたキーワードと、現在位置取得部より取得した現在位置とを、前記サーバ装置に送信する送信手段と、前記サーバ装置から受信した店舗情報を表示部に表示する表示手段とをさらに備え、
前記サーバ装置は、各店舗の位置情報およびキーワードを記録する記録部と、前記贈与側携帯端末装置から受けたキーワードと合致するキーワードを有し、前記贈与側携帯端末装置から受けた現在位置から所定距離内にある店舗を検索し、当該店舗の情報を前記贈与側携帯端末装置に送信する店舗情報送信手段とをさらに備えたことを特徴としている。
【００３９】
したがって、ユーザが興味のある店舗であって本システムを利用可能な店舗に近づいた場合に、これを告知することができる。
【００４０】
（２９）この発明に係るギフトシステムは、サーバ装置が、前記店舗情報を送信する際に、ユーザ操作によって少なくとも申込画面要求手段を起動させるための起動ボタンを送信することを特徴としている。
【００４１】
したがって、ユーザが容易に申込画面要求処理の起動を行うことができる。
【００４２】
（３０）この発明に係るギフトシステムは、サーバ装置が、前記店舗情報を送信する際に、少なくとも申込画面要求手段を自動的に起動させる起動命令を送信することを特徴としている。
【００４３】
したがって、ユーザが起動処理を行う必要がない。
【００４４】
（３２）（３３）（３４）（４０）この発明に係るギフト・システムは、贈与側携帯端末装置、受領側端末装置とサーバ装置を備えたギフト・システムであって、
前記贈与側携帯端末装置は、商品に固定され、特定ＩＤを記録したチップと通信を行い、当該商品の特定ＩＤを取得し、当該特定ＩＤを伴って、サーバ装置に対して、申込画面を要求する申込画面要求手段と、申込画面に基づいて、ユーザがギフト購入申込のための操作を行うと、ギフト購入申込をサーバ装置に送信する申込送信手段と、受領側ユーザが受領側端末装置を操作してギフト受取画面のＵＲＬを受け取ることができるように、ギフト受取画面のＵＲＬを、受領側ユーザに宛てて送信する受取画面ＵＲＬ送信手段とを備え、
前記サーバ装置は、申込画面要求に含まれる特定ＩＤに対応するギフト情報を記録部から取得し、当該ギフトの申込画面を生成する申込画面生成手段と、前記ギフト申込画面を、贈与側端末装置に送信する申込画面送信手段と、前記購入申込を受けて、ギフト受取画面を生成し、当該ギフト受取画面のＵＲＬを、贈与側端末装置に通知する受取画面ＵＲＬ通知手段と、前記受取側端末装置から受信した受取情報に基づいて、ギフトを受取先住所に配送するための処理を行うギフト配送処理手段とを備え、
前記受取側端末装置は、前記受取画面ＵＲＬ通知手段によって送信されたギフト受取画面のＵＲＬを受信する受取画面ＵＲＬ受信手段と、前記ＵＲＬに基づいて、サーバ装置にアクセスしてギフト受取画面を取得して表示するギフト受取画面取得手段と、ギフト受取画面において入力された受取先住所を含む受取情報を、サーバ装置に送信する受取情報送信手段とを備えている。
【００４５】
したがって、商品を見たときや役務の提供を受けたとき、商品の紹介や広告を見たとき等に、相手方の住所などを知らなくとも、画像コードを撮像することでギフトを行うことができる。
【００４６】
（３５）この発明に係るギフト・システムは、申込画面においては、少なくともギフト購入申込と自己購入申込が選択可能となっており、前記申込送信手段は、前記申込画面に基づいて、ユーザが自己購入申込のための操作を行うと、自己購入申込をサーバ装置に送信し、前記商品配送処理手段は、前記端末装置から受信した自己購入申込に基づいて、指定されたユーザの住所に、前記商品を配送するための処理を行うことを特徴としている。
【００４７】
したがって、ギフト購入だけでなく自ら商品を購入することを選択することができる。
【００４８】
（３６）この発明に係るギフト・システムは、申込画面においては、少なくともギフト購入申込とストック申込が選択可能となっており、前記申込送信手段は、前記申込画面に基づいて、ユーザがストック申込のための操作を行うと、ストック申込をサーバ装置に送信し、前記サーバ装置は、前記ストック申込を受けて、ストックとしてこれを記録部に記録し、前記贈与側携帯端末装置からのストック一覧要求を受けて、記録されたストックの一覧を含む申込画面を送信することを特徴としている。
【００４９】
したがって、その場で購入するかどうかを決定せず、後ほど購入するかどうかを検討することができる。
【００５０】
（３７）この発明に係るギフトシステムは、贈与側携帯端末装置が、ユーザによって入力されたキーワードと、現在位置取得部より取得した現在位置とを、前記サーバ装置に送信する送信手段と、前記サーバ装置から受信した店舗情報を表示部に表示する表示手段とをさらに備え、
前記サーバ装置は、各店舗の位置情報およびキーワードを記録する記録部と、前記贈与側携帯端末装置から受けたキーワードと合致するキーワードを有し、前記贈与側携帯端末装置から受けた現在位置から所定距離内にある店舗を検索し、当該店舗の情報を前記贈与側携帯端末装置に送信する店舗情報送信手段とをさらに備えたことを特徴としている。
【００５１】
したがって、ユーザが興味のある店舗であって本システムを利用可能な店舗に近づいた場合に、これを告知することができる。
【００５２】
（３８）この発明に係るギフトシステムは、サーバ装置が、前記店舗情報を送信する際に、ユーザ操作によって少なくとも申込画面要求手段を起動させるための起動ボタンを送信することを特徴としている。
【００５３】
したがって、ユーザが容易に申込画面要求処理の起動を行うことができる。
【００５４】
（３９）この発明に係るギフトシステムは、サーバ装置が、前記店舗情報を送信する際に、少なくとも申込画面要求手段を自動的に起動させる起動命令を送信することを特徴としている。
【００５５】
したがって、ユーザが起動処理を行う必要がない。
【００５６】
「申込画面要求手段」は、実施形態においては、ステップＳ１８がこれに対応する。
【００５７】
「購入申込送信手段」は、実施形態においては、ステップＳ２０がこれに対応する。
【００５８】
「受取画面ＵＲＬ送信手段」は、実施形態においては、ステップＳ２２がこれに対応する。
【００５９】
「申込画面生成手段」は、実施形態においては、ステップＳ３７がこれに対応する。
【００６０】
「申込画面送信手段」は、実施形態においては、ステップＳ３７がこれに対応する。
【００６１】
「受取画面ＵＲＬ通知手段」は、実施形態においては、ステップＳ４２がこれに対応する。
【００６２】
「ギフト配送処理手段」は、実施形態においては、ステップＳ４４がこれに対応する。
【００６３】
「受取画面ＵＲＬ受信手段」は、実施形態においては、ステップＳ５１がこれに対応する。
【００６４】
「ギフト受取画面取得手段」は、実施形態においては、ステップＳ５３がこれに対応する。
【００６５】
「受取情報送信手段」は、実施形態においては、ステップＳ５４がこれに対応する。
【００６６】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００６７】
【図１】この発明の一実施形態によるギフト・システムの機能ブロック図である。
【図２】ギフト・システムのシステム構成図である。
【図３】贈与側携帯端末装置１０のハードウエア構成である。
【図４】受取側端末装置５０のハードウエア構成である。
【図５】サーバ装置３０のハードウエア構成である。
【図６】商品登録処理のフローチャートである。
【図７】商品登録画面の例である。
【図８】商品情報ＤＢの例である。
【図９】ＵＲＬの例とＱＲコードの例である。
【図１０】ＱＲコード（商標）の使用例である。
【図１１】ギフト処理のフローチャートである。
【図１２】ギフト処理のフローチャートである。
【図１３】ギフト処理のフローチャートである。
【図１４】ギフト画面の例である。
【図１５】お知らせメールの例である。
【図１６】ギフト受取処理のフローチャートである。
【図１７】ギフト受取画面の例である。
【図１８】自己購入処理のフローチャートである。
【図１９】受取画面の例である。
【図２０】ストックボタン８１３を設けた商品説明画面の例である。
【図２１】ストック処理のフローチャートである。
【図２２】ストック商品のデータである。
【図２３】ストック商品に対する処理画面である。
【図２４】ストック商品に対する処理のフローチャートである。
【図２５】店舗側キーワードリストの例である。
【図２６】ユーザ側キーワードリストの例である。
【図２７】店舗通知処理のフローチャートである。
【図２８】店舗通知処理の画面例である。
【図２９】他の実施形態によるギフト処理のフローチャートである。
【発明を実施するための形態】
【００６８】
１．第一の実施形態
１．１機能的構成
図１に、この発明の一実施形態によるギフト・システムの機能ブロック図を示す。このギフト・システムは、贈与側携帯端末装置１０、サーバ装置３０、受取側端末装置５０を備えている。
【００６９】
店舗は、展示している商品の近傍にポップを置き、このポップ中に所定のＱＲコード（商標）を印刷しておく。ユーザが店舗に来店し、商品を見て、当該商品を友人にプレゼントしたいと思った場合、ユーザの携帯端末装置（贈与側携帯端末装置）１０の撮像手段２によって、このＱＲコード（商標）を撮像する。贈与側携帯端末装置１０の申込画面要求手段４は、ＱＲコード（商標）から抽出された商品ＩＤ（特定ＩＤ）を伴って、サーバ装置３０に対し、申込画面の要求を行う。
【００７０】
これを受けた、サーバ装置３０の申込画面生成手段２０は、商品ＩＤに対応づけて記録されている商品情報等のギフト情報２１を読み出し、申込画面を生成する。申込画面送信手段２２は、生成された申込画面を贈与側携帯端末装置１０に送信する。
【００７１】
贈与側携帯端末装置１０において、この申込画面が表示される。ユーザがこの申込画面において購入申込を行うと、購入申込送信手段６は、購入申込をサーバ装置３０に送信する。
【００７２】
サーバ装置３０の受取画面ＵＲＬ通知手段２４は、購入申込を受けて、ギフト受取のための画面（受取画面）２６を生成し記録する。さらに、この受取画面２６のＵＲＬを、贈与側携帯端末装置１０に通知する。
【００７３】
贈与側携帯端末装置１０の受取画面ＵＲＬ送信手段８は、通知された受取画面２６のＵＲＬを、プレゼントを行う相手方のメールアドレス、ＳＮＳアドレス等に送信する。
【００７４】
受取側のユーザは、受取側端末装置５０の受取画面ＵＲＬ受信手段４０によって、受取画面２６のＵＲＬを受信する。ギフト受取画面取得手段４２は、当該ＵＲＬに基づいて、受取画面２６を取得して表示する。受取側のユーザが、受取画面において、受取先住所を含む受取情報を入力すると、受取情報送信手段は、この受取情報をサーバ装置３０に送信する。
【００７５】
サーバ装置３０のギフト配送処理手段２８は、受信した受取情報に基づいて、前記商品を受取先住所に配送するための処理を行う。
【００７６】
以上のようにして、実際に商品を見た際に、これをギフトとして相手方に贈ることができる。また、その際、ユーザは、商品のそばにあるＱＲコード（商標）を撮像し、相手方にメールなどで連絡するだけでよく煩雑さがない。また、店舗側にとっても、レジなどでの精算が必要でなく、効率化を図ることができる。
【００７７】
１．２システム構成
図２に、ギフトシステムのシステム構成を示す。贈与側携帯端末装置１０は、無線通信によってインターネットに接続可能となっている。店舗側端末装置７０、受取側端末装置５０も、インターネットに接続可能となっている。なお、受取側端末装置５０は、ＰＣであっても、スマートフォンなどの携帯端末装置であってもよい。サーバ装置３０は、インターネット上のウエブサイトとして構築されている。
【００７８】
図３に、贈与側携帯端末装置１０のハードウエア構成を示す。この実施形態では、贈与側携帯端末装置１０としてスマートフォンを用いている。ＰＤＡやタブレットコンピュータ等を用いてもよい。
【００７９】
ＣＰＵ１００には、メモリ１０２、タッチスクリーンディスプレイ１０４、カメラ１０６、不揮発性メモリ１０８、ＧＰＳ受信回路１１０、通信回路１１２が接続されている。通信回路１１２は、インターネットに接続するための回路である。タッチスクリーンディスプレイ１０４は、表示を行ったりユーザからの入力を受け付けたりするためのものである。図３においては、スマートフォンとしての通話機能などは省略している。ＧＰＳ受信回路１１０は、衛星からの信号を受信して、現在位置を計測するためのものである。
【００８０】
不揮発性メモリ１０８には、オペレーティングシステム１１４、携帯端末プログラム１１６、ＳＮＳプログラム１１８、ＱＲコード（商標）読取プログラム１１９が記録されている。また、図示していないが、一般的なブラウザプログラム（Ｇｏｏｇｌｅ？Ｃｈｒｏｍｅ（商標）など）も記録されている。携帯端末プログラム１１６、ＳＮＳプログラム１１８、ＱＲコード（商標）読取プログラム１１９、ブラウザプログラムは、オペレーティングシステム１１４と協働してその機能を発揮するものである。これらプログラムは、インターネットを介して、プログラムを提供する各サーバ装置からダウンロードしたものである。
【００８１】
図４に、受取側端末装置５０のハードウエア構成を示す。この実施形態では、受取側端末装置５０としてスマートフォンを用いている。ＰＤＡやタブレットコンピュータ等を用いてもよい。また、受取側端末装置５０は、携帯型の装置でなく、据え置き型のＰＣなどであってもよい。
【００８２】
ＣＰＵ５００には、メモリ５０２、タッチスクリーンディスプレイ５０４、カメラ５０６、不揮発性メモリ５０８、ＧＰＳ受信回路５１０、通信回路５１２が接続されている。図４においては、スマートフォンとしての通話機能などは省略している。
【００８３】
なお、受取側端末装置５０のハードウエア構成は、贈与側携帯端末装置１０と同様である。ただし、受取側端末装置５０においては、この実施形態に特有の携帯端末プログラム１１６は必ずしも必要でなく、ブラウザプログラム５１６がインストールされていればよい。
【００８４】
図５に、サーバ装置３０のハードウエア構成を示す。ＣＰＵ３００には、メモリ３０２、ハードディスク３０８、ＤＶＤ−ＲＯＭドライブ３１０、通信回路３１２が接続されている。通信回路３１２は、インターネットに接続するための回路である。
【００８５】
ハードディスク３０８には、オペレーティングシステム３１４、サーバプログラム３１６、商品情報ＤＢ３１８が記録されている。サーバプログラム３１６は、オペレーティングシステム３１４と協働してその機能を発揮するものである。これらプログラムは、ＤＶＤ−ＲＯＭ３２０に記録されていたものを、ＤＶＤ−ＲＯＭドライブ３１０を介してハードディスク３０８にインストールしたものである。なお、インターネットを介してダウンロードしたものであってもよい。
【００８６】
店舗側端末装置７０は、ブラウザがインストールされ、プリンタの接続されたＰＣを用いることができる。そのハードウエア構成は、図５と同様である。
【００８７】
１．３商品登録処理
このギフトシステムにおいては、まず、店舗側が販売したい商品をサーバ装置３０に登録し、展示のためのＱＲコード（商標）を取得する必要がある。
【００８８】
この商品登録処理における店舗側端末装置７０のブラウザプログラム、サーバ装置３０のサーバプログラムのフローチャートを、図６に示す。
【００８９】
店舗側端末装置７０のＣＰＵ（以下、店舗側端末装置７０と省略することがある）は、店舗ユーザの操作により、サーバ装置３０にアクセスしてログイン要求を行う（ステップＳ７１）。店舗ユーザは、当該店舗に付与された店舗コードとパスワードを伴って、このログイン要求を行う。
【００９０】
サーバ装置３０のＣＰＵ３００（以下、サーバ装置３０と省略することがある）は、店舗コードとパスワードの組合せが記録されているかどうかによってログイン認証を行う（ステップＳ３１）。認証が完了すると、店舗側端末装置７０は、商品を登録するための画面（商品登録画面）を、サーバ装置３０に要求する（ステップＳ７２）。
【００９１】
サーバ装置３０は、これを受けて、商品登録のための画面を、店舗側端末装置７０に送信する（ステップＳ３２）。図７に、商品登録のための画面を示す。店舗名は、店舗コードと対応付けてサーバ装置３０に記録されているので、それが自動的に表示される。予め店舗ユーザが撮像した商品写真は、ファイル選択ボタン８００をクリックして、画像を選択できるようになっている。商品名、商品価格、商品説明を、店舗ユーザが入力し、登録ボタン８０２をクリックすると、入力された商品情報がサーバ装置３０に送信される（ステップＳ７３）。
【００９２】
サーバ装置３０は、商品コードを生成し、これと対応付けて受信した商品情報を商品情報ＤＢ３１８に記録する（ステップＳ３３）。図８に、このようにして記録された商品情報ＤＢ３１８を示す。ここでは、商品「クッキー」が追加されたものとする。商品写真の項目には、商品写真のファイル名が記録されている。サーバ装置３０は、店舗側端末装置７０から受信した商品写真にファイル名を付してハードディスク３０８に記録し、そのファイル名を商品写真の項目に記録するようにしている。なお、商品情報ＤＢ３１８は、各店舗ごとに生成されて記録される。
【００９３】
サーバ装置３０は、店舗コードに連番を付加して、商品コードを生成するようにしている。したがって、各店舗の各商品には、ユニークな商品コードが付与されることになる。
【００９４】
次に、サーバ装置３０は、サーバ装置３０のＵＲＬと商品コードを含むＱＲコード（商標）を生成する（ステップＳ３４）。たとえば、サーバ装置３０のＵＲＬに、パラメータとして商品コードが含まれるようなＱＲコード（商標）を生成する。生成したＱＲコード（商標）は、店舗側端末装置７０に送信される。
【００９５】
図９Ａに、生成された商品コードが含まれるＵＲＬを示す。「ｈｔｔｐ：／／ｗｗｗ．ｇｉｆｔｐａｒ／ｍｅｉｌｔｏ／」が、サーバ装置３０のＵＲＬである。それに続くパラメータ「／？ＩＤ＝１０２３５６」により、商品コード「１０２３５６」を示している。図９Ｂは、このパラメータ付きのＵＲＬをＱＲコードにした例である。
【００９６】
店舗側端末装置７０は、サーバ装置３０から送信されてきたこのＱＲコード（商標）を受信する。店舗ユーザは、このＱＲコード（商標）を用いて、商品のポップなどを作成し印刷する（ステップＳ７４）。たとえば、図１０に示すような、ＱＲコード（商標）２００を含んだポップを作成する。店舗では、このポップを商品の側に置く。
【００９７】
１．４ギフト処理
図１１〜図１３に、店舗を訪れたユーザ（贈与側）が、友人などに商品をプレゼントする場合のギフト処理のフローチャートを示す。図１１においては、贈与側携帯端末装置１０に標準的にインストールされているＱＲコード（商標）読取プログラム１１９、ブラウザプログラムのフローチャートを示している。ＱＲコード（商標）読取プログラム１１９は、カメラ５０６によって撮像したＱＲコード（商標）から、埋め込まれているデータを抽出し、当該データがＵＲＬであれば、ブラウザプログラムを起動してそのＵＲＬにアクセスするものである。
【００９８】
ユーザは、店舗にて、プレゼントをしたい商品の側に置かれているポップ（図１０参照）に印刷されているＱＲコード（商標）２００を、贈与側携帯端末装置１０のカメラ１０６によって撮像する（ステップＳ１１）。これにより、贈与側携帯端末装置１０は、ＱＲコード（商標）２００に埋め込まれているＵＲＬを抽出し、ブラウザプログラムを自動的に起動して当該ＵＲＬにアクセスする（ステップＳ１２）。ここでは、図９Ａに示すように、サーバ装置３０のＵＲＬがＱＲコード（商標）２００に埋め込まれているので、サーバ装置３０にアクセスすることになる。したがって、ステップＳ１２以下は、ブラウザプログラム（およびＪａｖａＳｃｒｉｐｔ（商標））による処理を示している。
【００９９】
なお、この実施形態では、ＵＲＬのパラメータ中に商品コードが記述されているので、アクセスを受けたサーバ装置３０は、このパラメータ（商品コード）を受け取ることになる。サーバ装置３０は、このアクセスを受けて当該ＵＲＬに対応するページを、贈与側携帯端末装置１０に返信する（ステップＳ３５）。
【０１００】
なお、このＵＲＬのページには、携帯端末プログラム１１６を起動するためのプログラム（たとえば、ＪａｖａＳｃｒｉｐｔ（商標））が記述されている。このＪａｖａＳｃｒｉｐｔ（商標）は、携帯端末プログラム１１６の起動を行って、起動ができなければ、携帯端末プログラム１１６を入手するためのウエブサイトにアクセスするように、スクリプトが記述されている。なお、このＵＲＬページには、商品コードも併せて記述されている。図１１において、破線で囲った部分がＪａｖａＳｃｒｉｐｔ（商標）による処理部分である。
【０１０１】
贈与側携帯端末装置１０は、上記ＪａｖａＳｃｒｉｐｔ（商標）の記述されたページを受信し、携帯端末プログラム１１６の起動を試みる（ステップＳ１３）。贈与側携帯端末装置１０に携帯端末プログラム１１６がインストールされていれば、携帯端末プログラム１１６が起動する。
【０１０２】
携帯端末プログラム１１６が贈与側携帯端末装置１０にインストールされていない場合には、携帯端末プログラム１１６が起動しない。贈与側携帯端末装置１０は、所定時間経過しても、携帯端末プログラム１１６が起動しない場合には、ＪａｖａＳｃｒｉｐｔ（商標）にしたがい、携帯端末プログラム１１６を入手するためのウエブサイトにアクセスする。これにより、ユーザは、容易に携帯端末プログラム１１６を入手することができる。
【０１０３】
図１２、図１３に、携帯端末プログラム１１６のフローチャートを示す。贈与側携帯端末装置１０は、ＱＲコード（商標）を取得済みであるかどうかを判断する（ステップＳ１６）。
【０１０４】
ステップＳ１５において携帯端末プログラム１１６をダウンロードした場合には、ＱＲコード（商標）１２０のデータは失われているので、再度、ＱＲコード（商標）１２０を読み取る必要がある（ステップＳ１７）。また、図１１に示したようにＱＲコード（商標）読取プログラム１１９によってＱＲコード（商標）１２０を読み取るのではなく、携帯端末プログラム１１６を起動した場合にも、この段階でＱＲコード（商標）１２０を読み取る必要がある。
【０１０５】
一方、ステップＳ１４において起動成功した場合には、既にＱＲコード（商標）１２０を取得済みである。この場合には、ＱＲコード（商標）１２０の読み取りを改めて行う必要はない。
【０１０６】
ステップＳ１７においてＱＲコード（商標）１２０を読み取った場合には、贈与側携帯端末装置１０は、そのデータ中から商品コードを抽出し、サーバ装置３０に送信する（ステップＳ１８）。また、ステップＳ１４において起動が成功した場合には、サーバ装置３０のステップＳ３５にて、返信されてくるページ内に記述されている商品コードを抽出し、サーバ装置３０に送信する（ステップＳ１８）。
【０１０７】
サーバ装置３０は、商品コードに対応する商品情報を、商品情報ＤＢ３１８から検索し取得する（ステップＳ３６）。たとえば、商品コードが「１０２３０５７」であれば、図８の商品「クッキー」の商品情報が取得されることになる。サーバ装置３０は、この商品情報に基づいて、ギフトのための商品説明画面を生成し、贈与側携帯端末装置１０に送信する（ステップＳ３７）。
【０１０８】
贈与側携帯端末装置１０は、この商品説明画面をタッチスクリーンディスプレイ１０４に表示する（ステップＳ１９）。商品説明画面の例を、図１４Ａに示す。ユーザが、贈与側携帯端末装置１０を操作して、申込ボタン８０９をクリックすると（ステップＳ２０）、サーバ装置３０は、決済画面を返信する（ステップＳ３８）。決済画面の例を、図１４Ｂに示す。ユーザが、贈与側携帯端末装置１０を操作して、カード番号など決済に必要な情報を入力して、ギフト購入ボタン８１０をクリックすると（ステップＳ２１、Ｓ２２）、サーバ装置３０は、決済処理を行う（ステップＳ３９）。たとえば、カード会社などの決済サーバと通信して、決済を完了する。
【０１０９】
次に、サーバ装置３０は、プレゼント先（受取側）のユーザが操作してプレゼント受け取りのための処理（例えば送り先住所の入力など）を行うための受取画面を生成する（ステップＳ４０）。なお、この受取画面は、今回の処理のために生成したものである。したがって、処理を行うごとに毎回、そのＵＲＬは異なったものとしている。たとえば、図１７に示すような受取画面を生成する。ここでは、この受取画面のＵＲＬが、ｈｔｔｐ：／／ｗｗｗ．ｇｉｆｔｐａｄ／ｍｅｉｌｔｏ／２０１６０４２５００１であったとする。
【０１１０】
さらに、サーバ装置３０は、お知らせをするための処理を選択する画面を生成する（ステップＳ４１）。そして、受取画面のＵＲＬ（ｈｔｔｐ：／／ｗｗｗ．ｇｉｆｔｐａｄ／ｍｅｉｌｔｏ／２０１６０４２５００１）と、お知らせをするための処理画面を、贈与側携帯端末装置１０に送信する（ステップＳ４２）。
【０１１１】
贈与側携帯端末装置１０は、お知らせ用の画面を、タッチスクリーンディスプレイ５０４に表示する（ステップＳ２３）。この画面例を、図１４Ｃに示す。プレゼント先に、どのような手段（メールやＳＮＳ）を用いてお知らせするかを選択するためのボタンが設けられている。ボタン８１２はメールによるお知らせ、ボタン８１４はＬＩＮＥ（商標）によるお知らせ、ボタン８１６はＦａｃｅｂｏｏｋによるお知らせのためのものである。
【０１１２】
たとえば、ボタン８１２がユーザによって選択されると、メーラーが立ち上がって、前記受取画面ＵＲＬをメール内容に含む、送信メール作成用画面が立ち上がるようになっている。ユーザは、メール内容に文章などを追加し、受取側ユーザのメールアドレスを入力して、メールを送信する（ステップＳ２４）。なお、ボタン８１４（８１６）がクリックされた場合にはＬＩＮＥ（Ｆａｃｅｂｏｏｋ）のプログラムにより、同様の処理が行われる。図１５に、作成されたメールの例を示す。
【０１１３】
１．５ギフト受取処理
図１６に、受取側端末装置５０における受取処理のフローチャートを示す。受取側端末装置５０のＣＰＵ５００（以下、受取側端末装置５０と省略することがある）は、上記のお知らせをメーラーなどによって受信する（ステップＳ５１）。次に、ユーザの操作により、このお知らせの本文に記述されているＵＲＬがクリックされると、受取側端末装置５０のＣＰＵ５００は、サーバ装置３０に対し、受取画面の要求を行う（ステップＳ５２）。
【０１１４】
これを受けて、サーバ装置３０は、予め生成しておいた受取画面を送信する（ステップＳ４２）。受取側端末装置５０は、受取画面を表示する（ステップＳ５３）。受取画面の例を図１７に示す。この受取画面においては、プレゼントされる商品の説明に加えて、受取側の名前入力欄８２０、住所入力欄８２２、電話番号入力欄８２４などが設けられている。
【０１１５】
受取側のユーザが、名前や住所などを入力して、「受取ボタン」をクリックすると、これら入力された情報が、サーバ装置３０に送信される（ステップＳ５４）。サーバ装置３０は、この情報を受けて商品発送処理を行う（ステップＳ４４）。たとえば、運送業者に渡すための送り状を印刷するとともに、運送業者に対して集荷の連絡（メールによる）を実行する。これにより、運送業者が店舗に集荷に来て、受取先ユーザの住所に商品が発送される。あるいは、店舗に対して当該商品を指定の住所に発送するように指示するメール等の通知を送信する。
【０１１６】
１．６自己購入処理
上記では、他人に対してギフトを贈る場合の処理について説明した。この実施形態では、自分自身のために商品を購入することもできるようにしている。自分のために購入する場合、図１４Ｂの画面において、自己購入ボタン８１１をクリックする。この場合の処理フローチャートを図１８に示す。
【０１１７】
ユーザが、贈与側携帯端末装置１０を操作して、図１４Ａの画面において申込ボタン８０９をクリックすると、サーバ装置３０は、決済画面を返信する。決済画面の例を、図１４Ｂに示す。ユーザが、贈与側携帯端末装置１０を操作して、カード番号など決済に必要な情報を入力して、自己購入ボタン８１１をクリックすると（ステップＳ２２）、サーバ装置３０は、決済処理を行う（ステップＳ３９）。たとえば、カード会社などの決済サーバと通信して、決済を完了する。
【０１１８】
決済処理が完了すると、サーバ装置３０は、届け先指定画面を送信する（ステップＳ４５）。図１９に届け先指定画面の例を示す。ユーザは、贈与側携帯端末装置１０を操作して、商品の届け先を指定する。ユーザ登録の際に登録した住所に届ける場合には、ラジオボタン８３６をクリックする。その他の住所に届け出る場合には、ラジオボタン８３８をクリックし、名前欄８３０、住所欄８３２などに入力を行う。その後、受取住所の決定ボタン８４０を押下する。これにより、贈与側携帯端末装置１０は、入力された情報をサーバ装置３０に送信する（ステップＳ２５）。サーバ装置３０は、これを受けて、商品配送処理を行う（ステップＳ４６）。
【０１１９】
以上のように、この実施形態では、ギフト購入と自己購入を選択できるようにしている。しかし、いずれか一方のみの購入を行うようなシステムとしてもよい。
【０１２０】
１．７ストック処理
上記では、店舗に来訪した際にその場で購入する場合について説明した。しかし、上記に代えて、あるいは加えて、店舗来訪時に購入候補をストックしておき、後から購入するかどうかを決定できるようにしてもよい。
【０１２１】
この場合の商品説明画面を、図２０に示す。申込ボタン８０９に加えて（あるいは代えて）ストックボタン８１３が設けられている。ステップＳ２０において、ユーザがストックボタン８１３をクリックした場合の処理を、図２１に示す。
【０１２２】
ストックボタン８１３が押下されると、贈与側携帯端末装置１０は、その旨をサーバ装置３０に送信する（ステップＳ２０）。これを受けて、サーバ装置３０は、当該ユーザのために当該商品をハードディスク３０８に記録する（ステップＳ４９）。
【０１２３】
図２２に、記録されたストックの例を示す。ストックは、各ユーザごとに記録される。図２２では、ユーザＩＤ（＝３４２７）のユーザのストックを示している。店舗ＩＤ、ストックした商品の商品コード、ストックした日時が記録されている。
【０１２４】
ユーザは、上記のようにしてストックした商品を、後ほど（例えば自宅に戻ってから）購入するかどうかを決めることができる。携帯端末プログラム１１６を起動すると、贈与側携帯端末装置１０は、図２３Ａに示すような初期画面を表示する。画面上部には、ＱＲコード読み取りのための枠８３５が表示されている。その下部に、ストック一覧表示ボタン８２５が表示されている。
【０１２５】
ユーザが、このストック一覧表示ボタン８２５をクリックすると、ストック商品に対する処理が開始される。図２４に、ストック商品に対する処理のフローチャートを示す。
【０１２６】
ストック一覧表示ボタン８２５がクリックされると、贈与側携帯端末装置１０は、ユーザＩＤとともに当該ストック一覧表示ボタン８２５がクリックされた旨をサーバ装置３０に送信する（ステップＳ１０１）。サーバ装置３０は、当該ユーザＩＤのユーザについてストックされている商品一覧を読み出して、一覧画面を生成して送信する（ステップＳ１１１）。
【０１２７】
受信した贈与側携帯端末装置１０は、これをタッチスクリーン・ディスプレイ１０４に表示する。表示された一覧画面の例を、図２３Ｂに示す。ストックされた商品名の付された選択ボタン８１５が表示されている。ユーザが選択ボタン８１５をクリックすると、贈与側携帯端末装置１０は、その商品コードをサーバ装置３０に送信する（ステップＳ１０２）。
【０１２８】
サーバ装置３０は、商品コードに対応する商品情報を、商品情報ＤＢ３１８から検索し取得する（ステップＳ１１２）。たとえば、商品コードが「１０２３０５７」であれば、図８の商品「クッキー」の商品情報が取得されることになる。サーバ装置３０は、この商品情報に基づいて、ギフトのための商品説明画面を生成し、贈与側携帯端末装置１０に送信する（ステップＳ１１３）。
【０１２９】
贈与側携帯端末装置１０は、この商品説明画面をタッチスクリーンディスプレイ１０４に表示する（ステップＳ１０３）。商品説明画面の例を、図２３Ｃに示す。ユーザによって申込ボタン８０９が押下されると、サーバ装置３０は、図１２のステップＳ３８以下の処理を行う。つまり、ユーザは、申込ボタン８０９を押下することで、他人へのギフト購入や自己購入を行うことができる。なお、このように申込ボタン８０９が押下された場合、サーバ装置３０は、当該商品をストック記録から削除する。
【０１３０】
ストックボタン８１３が押下されると、サーバ装置３０は、当該商品をストック記録に残したままとし、特段の処理を行わない。削除ボタン８１７が押下されると、サーバ装置３０は、当該商品を当該ユーザのストック記録から削除する。
【０１３１】
以上のように、この実施形態では、ユーザが気になる商品をストックしておき、ユーザが後ほど商品を購入するかどうかを検討することができるようにしている。なお、このようなストック機能は設けずに、店舗において購入するかどうかを決めるようにしてもよい。あるいは、店舗において直ちに購入するのではなく、ストックしておいた商品について後ほど購入するかどうかを決める方式だけとしてもよい。
【０１３２】
１．８店舗通知処理
上記に加えて、以下のような店舗通知処理を行うようにしてもよい。この店舗通知処理は、ユーザが興味のある商品を、本システムによって販売している店舗がユーザの近くにある場合、それをユーザに知らせる機能である。
【０１３３】
まず、店舗側が取り扱っている商品のキーワードを店舗側端末装置７０に入力し、サーバ装置３０に送信して登録する。サーバ装置３０は、このキーワードを店舗コードとともに記録する。図２５に、サーバに登録された店舗側キーワードのリストを示す。なお、この実施形態では、店舗名、店舗住所、位置（緯度経度）、店舗写真も併せて記録するようにしている。
【０１３４】
ユーザの側は、贈与側携帯端末装置１０に興味のある商品のキーワードを入力し、サーバ装置３０に送信して登録する。図２６に、サーバに登録されたユーザ側キーワードのリストを示す。なお、この実施形態では、ユーザ名も併せて記録するようにしている。
【０１３５】
図２７に、店舗通知処理のフローチャートを示す。贈与側携帯端末装置１０は、所定時間間隔（たとえば、５分ごと）で、ＧＰＳ受信回路１１０から現在位置を取得する。贈与側携帯端末装置１０は、取得した現在位置にユーザＩＤを付して、サーバ装置３０に送信する（ステップ１０５）。
【０１３６】
これを受けたサーバ装置３０は、図２５の店舗データを参照して、贈与側携帯端末装置１０の現在位置から所定距離（たとえば、５００ｍ）以内にある店舗を抽出する（ステップＳ１１５）。サーバ装置３０は、図２５の店舗データ、図２６のユーザデータを参照して、このようにして抽出した近傍の店舗のうち、当該ユーザの登録しているキーワードと同じ（もしくは類似する）キーワードを登録している店舗をさらに抽出する（ステップＳ１１６）。
【０１３７】
サーバ装置３０は、抽出した店舗の店舗情報を贈与側携帯端末装置１０に送信する（ステップＳ１１７）。受信した贈与側携帯端末装置１０は、この店舗情報を表示する（ステップＳ１０６）。
【０１３８】
図２８Ａに、店舗情報８４５の表示画面を示す。この実施形態では、携帯端末プログラム１１６の一部が常に動作するようにしているので、携帯端末プログラム１１６が完全に起動されていなくとも、店舗情報８４５を画面上に表示することができる。
【０１３９】
ユーザがこの店舗情報８４５をクリックすると、サーバ装置３０は、当該店舗の詳細な情報を送信する。これを受けて、贈与側携帯端末装置１０は、図２８Ｂに示すように、店舗までの地図８４７や店舗の情報８４９（店舗写真等）を表示する。
【０１４０】
以上のようにして、ユーザが興味を持つ近隣の店舗を紹介することができる。なお、上記に加えて、ユーザが地図８４７をクリックすると、経路案内のサーバ装置に接続して、店までの経路を案内するようにしてもよい。
【０１４１】
贈与側携帯端末装置１０は、サーバ装置３０から受信した店舗の位置と、贈与側携帯端末装置１０の現在位置とが、所定距離以内の近距離（たとえば、５ｍ以内）になれば、携帯端末プログラム１１６を自動的に立ち上げる。これにより、図２３Ａのような初期画面が表示され、ユーザは購入したい商品のＱＲコードを容易に読み取ることができる。
【０１４２】
上記では、携帯端末プログラム１１６が自動的に立ち上がるようにしたが、図２８Ｂの画面において、携帯端末プログラム１１６を起動させるためのボタンを設けるようにしてもよい。
【０１４３】
また、上記のようにサーバ装置３０側でマッチングした店舗だけでなく、このシステムによる購入が可能な店舗にユーザが入ると、携帯端末プログラム１１６を自動的に立ち上げるようにしてもよい。この場合、サーバ装置３０は、贈与側携帯端末装置１０からの現在位置を受け取って、その現在位置と所定距離以内の近距離に店舗が存在すれば、携帯端末プログラム１１６を自動的に立ち上げる。さらに、現在位置と店舗位置が所定距離以上（たとえば５０ｍ以上）離れると、携帯端末プログラム１１６を終了させる。
【０１４４】
２．その他の実施形態
（１）上記実施形態では、商品の近傍に置いたポップにサーバ装置３０から受け取ったＱＲコード（商標）を印刷している。しかし、雑誌などの商品広告や商品紹介ページにＱＲコード（商標）を印刷するようにしてもよい。このようにすれば、雑誌などをみていたユーザが、ＱＲコード（商標）を撮像することで、ギフトを贈ることができる。
【０１４５】
さらに、サーバ装置３０から受け取ったＱＲコード（商標）を含むコンテンツを、テレビ放送として放送するようにしてもよい。たとえば、テレビショッピングなどにおいて、画面のＱＲコード（商標）を撮像することで、ギフトを贈ることができる。
【０１４６】
（２）上記実施形態では、ＱＲコード（商標）を用いているが、２次元バーコードなど、その他のコードを用いるようにしてもよい。また、電子透かしなどによって商品コード（特定ＩＤ）を埋め込むようにしてもよい。
【０１４７】
（３）上記実施形態では、ＱＲコード（商標）から抽出した商品コードによって、ギフト処理を行っている。しかし、贈与側携帯端末装置１０のＧＰＳ受信機によって位置を特定し、当該位置が商品コードに含まれる店舗コードによって特定される店舗位置と合致している場合（所定距離以上ずれていない場合）にのみ、ギフト処理やストック処理を実行するようにしてもよい。これにより、実際の商品を見た店舗以外の店舗にて購入するという行為を防ぐことができる。
【０１４８】
また、ＱＲコード（商標）の設置位置を予め定めておき、それ以外の場所で撮像された場合にはギフト処理ができないようにすることもできる。たとえば、雑誌などにおいて、日本国内以外からの申し込みはできないようにするというようなことが可能となる。
【０１４９】
なお、上記では、ＧＰＳ受信機によって贈与側携帯端末装置１０の位置（つまりユーザの位置）を特定するようにしている。しかし、ｉＢｅａｃｏｎ（商標）などの発信機を店舗に設置し、この発信機からの信号を贈与側携帯端末装置１０が受信することで、その位置を特定するようにしてもよい。
【０１５０】
（４）上記実施形態では、商品をギフト対象としているが、役務（マッサージ券、食事券、旅行券など）を対象としてもよい。
【０１５１】
（５）上記実施形態では、ＱＲコード（商標）を撮像して商品コードを抽出している。しかし、商品や商品のそばに置いたタグなどにＲＦＩＤチップ（商品コードを記録している）を埋め込んでおき、贈与側携帯端末装置１０が無線通信によってこの商品コードを取得するようにしてもよい。
【０１５２】
また、サーバ装置３０において、商品コードに代えて商品画像（種々の角度からの画像を記録しておくことが好ましい）によって商品情報ＤＢを構築するようにしてもよい。この場合、ＱＲコード（商標）を用いなくとも、商品を撮像した画像をサーバ装置３０に送信することにより、ギフト処理を行うことができる。
【０１５３】
（６）上記実施形態では、受取側のユーザが自宅などの受取場所の住所を指定するようにしている。しかし、自宅などの住所ではなく、予め登録されているコンビニエンスストアを指定し、当該コンビニエンスストアに受取側のユーザが引き取りに行くようにしてもよい。また、駅などに設置されているロッカーを指定し、当該ロッカーに受取側のユーザが引き取りに行くようにしてもよい。
【０１５４】
（７）上記実施形態では、商品コードに基づいて商品説明のためのページを生成して、贈与側携帯端末装置１０に送信するようにしている。しかし、各店舗の各商品ごとに個別のページを予め用意しておき、贈与側携帯端末装置１０からステップＳ１８において、この個別ページにアクセスするようにしてもよい。この場合、たとえば、商品ごとの個別ページのＵＲＬとして「ｈｔｔｐ：／／ｗｗｗ．ｇｉｆｔｐａｒ／ｍｅｉｌｔｏ／１０２３５６．ｈｔｍｌ」のように、商品コード「１０２３５６」が分かれば生成可能なＵＲＬを用いることが好ましい。
【０１５５】
（８）上記実施形態では、携帯端末プログラム１１６によって上記の各処理を行っている。しかし、贈与側携帯端末装置１０に携帯端末プログラム１１６を設けずに、一般的なブラウザプログラムによって処理を行うようにしてもよい。この場合のギフト処理のフローチャートを、図２９に示す。
【０１５６】
この例では、各店舗の各商品ごとに商品説明のページがサーバ装置３０に記録されている。ＱＲコード（商標）は、上記各商品の商品説明ページのＵＲＬをコード化している。
【０１５７】
ＱＲコード（商標）読取プログラム１１９によってＱＲコードが読み取られると（ステップＳ１１）、贈与側携帯端末装置１０は、記述されたＵＲＬにアクセスする（ステップＳ１２）。サーバ装置３０は、アクセスされた商品説明ページを送信する（ステップＳ３７）。商品説明ページは、たとえば図１４Ａのようである。以下の処理は、図１２のフローチャートと同様である。
【０１５８】
この例によれば、贈与側携帯端末装置１０に特別な携帯端末プログラム１１６をインストールしなくとも、ギフト処理（自己購入処理を含む）を行うことができる。
【符号の説明】
【０１５９】
１０・・・贈与側携帯端末装置、２・・・撮像手段、４・・・申込画面要求手段、６・・・購入申込送信手段、８・・・受取画面ＵＲＬ送信手段、３０・・・サーバ装置、２１・・・ギフト情報、２０・・・申込画面生成手段、２２・・・申込画面送信手段、２４・・・受取画面ＵＲＬ通知手段、２６・・・受取画面、２８・・・ギフト配送処理手段、５０・・・受取側端末装置、４０・・・受取画面ＵＲＬ受信手段、４２・・・ギフト受取画面取得手段、４４・・・受取情報送信手段、７０・・・店舗側端末装置、１００・・・ＣＰＵ、１０２・・・メモリ、１０４・・・タッチスクリーンディスプレイ、１０６・・・カメラ、１１０・・・ＧＰＳ受信回路、１０８・・・不揮発性メモリ、１１２・・・通信回路、１１４・・・ＯＳ、１１６・・・携帯端末プログラム、１１８・・・ＳＮＳプログラム、１１９・・・ＱＲコード読取プログラム、５００・・・ＣＰＵ、５０２・・・メモリ、５０４・・・タッチスクリーンディスプレイ、５０６・・・カメラ、５０８・・・不揮発性メモリ、５１０・・・ＧＰＳ受信回路、５１２・・・通信回路、５１４・・・ＯＳ、５１６・・・ブラウザプログラム、５１８・・・ＳＮＳプログラム、３００・・・ＣＰＵ、３０２・・・メモリ、３０８・・・ハードディスク、３１０・・・ＤＶＤ−ＲＯＭドライブ、３１２・・・通信回路、３１４・・・ＯＳ、３１６・・・サーバプログラム、３１８・・・商品情報ＤＢ、３２０・・・ＤＶＤ−ＲＯＭ
【図１】
2019117667.tif 000003
【図２】
2019117667.tif 000004
【図３】
2019117667.tif 000005
【図４】
2019117667.tif 000006
【図５】
2019117667.tif 000007
【図６】
2019117667.tif 000008
【図７】
2019117667.tif 000009
【図８】
2019117667.tif 000010
【図９】
2019117667.tif 000011
【図１０】
2019117667.tif 000012
【図１１】
2019117667.tif 000013
【図１２】
2019117667.tif 000014
【図１３】
2019117667.tif 000015
【図１４】
2019117667.tif 000016
【図１５】
2019117667.tif 000017
【図１６】
2019117667.tif 000018
【図１７】
2019117667.tif 000019
【図１８】
2019117667.tif 000020
【図１９】
2019117667.tif 000021
【図２０】
2019117667.tif 000022
【図２１】
2019117667.tif 000023
【図２２】
2019117667.tif 000024
【図２３】
2019117667.tif 000025
【図２４】
2019117667.tif 000026
【図２５】
2019117667.tif 000027
【図２６】
2019117667.tif 000028
【図２７】
2019117667.tif 000029
【図２８】
2019117667.tif 000030
【図２９】
2019117667.tif 000031
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
贈与側携帯端末装置、受領側端末装置とサーバ装置を備えたギフト・システムであって、
前記贈与側携帯端末装置は、
撮像又は近距離無線通信された検知対象から抽出されたギフトを特定するための特定情報と、当該撮像又は近距離無線通信の際に取得された前記贈与側携帯端末装置の端末位置とを伴って、サーバ装置に対して、申込画面を要求する申込画面要求手段と、
前記申込画面に基づいて、ユーザが前記贈与側携帯端末装置を操作してギフト購入申込のための操作を行うと、ギフト購入申込をサーバ装置に送信する申込送信手段と、
受領側ユーザが受領側端末装置を操作してギフト受取画面のＵＲＬを受け取ることができるように、ギフト受取画面のＵＲＬを、前記受領側ユーザに宛てて送信する受取画面ＵＲＬ送信手段とを備え、
前記サーバ装置は、
前記申込画面の要求に含まれる前記特定情報に基づいてギフト情報を記録部から取得し、当該ギフトの申込画面を生成する申込画面生成手段と、
前記特定情報を取得できる撮像又は近距離無線通信の前記検知対象についての予め記録されている設置位置と、送信されてきた前記撮像又は近距離無線通信の際に取得された前記贈与側携帯端末装置の端末位置とが所定以上ずれていなけれれば、前記ギフトの申込画面を、前記贈与側携帯端末装置に送信する申込画面送信手段と、
前記ギフト購入申込を受けて、ギフト受取画面を生成し、当該ギフト受取画面のＵＲＬを、前記贈与側携帯端末装置に通知する受取画面ＵＲＬ通知手段と、
前記受領側端末装置から受信した受取情報に基づいて、ギフトを受取先住所に配送するための処理を行うギフト配送処理手段とを備え、
前記受領側端末装置は、
前記受取画面ＵＲＬ送信手段によって送信されたギフト受取画面のＵＲＬを受信する受取画面ＵＲＬ受信手段と、
前記ＵＲＬに基づいて、サーバ装置にアクセスしてギフト受取画面を取得して表示するギフト受取画面取得手段と、
ギフト受取画面において入力された受取先住所を含む受取情報を、サーバ装置に送信する受取情報送信手段とを備えたギフト・システム。
【請求項２】
贈与側携帯端末装置において撮像又は近距離無線通信された検知対象から抽出された、ギフトを特定するための特定情報と、当該撮像又は近距離無線通信の際に取得された前記贈与側携帯端末装置の端末位置とを含む申込画面要求を受けて、当該申込画面要求に含まれる特定情報に基づいてギフト情報を記録部から取得し、当該ギフトの申込画面を生成する申込画面生成手段と、
前記特定情報を取得できる撮像又は近距離無線通信の前記検知対象についての予め記録されている設置位置と、送信されてきた前記撮像又は近距離無線通信の際に取得された前記贈与側携帯端末装置の端末位置とが所定以上ずれていなけれれば、前記申込画面を、前記贈与側携帯端末装置に送信する申込画面送信手段と、
前記申込画面を受けた前記贈与側携帯端末装置から送信されてきたギフト購入申込を受けて、ギフト受取画面を生成し、当該ギフト受取画面のＵＲＬを、前記贈与側携帯端末装置に通知する受取画面ＵＲＬ通知手段と、
前記受取画面ＵＲＬを受けた前記贈与側携帯端末装置から転送を受けた受領側端末装置が当該受取画面ＵＲＬに基づいて取得した受取画面にて入力された受取先住所を含む受取情報を受けて、当該受取情報に基づいて、ギフトを受取先住所に配送するための処理を行うギフト配送処理手段と、
を備えたサーバ装置。
【請求項３】
撮像又は近距離無線通信された検知対象から抽出されたギフトを特定するための特定情報と、当該撮像又は近距離無線通信の際に取得された贈与側携帯端末装置の端末位置とを伴って、サーバ装置に対して、申込画面を要求する申込画面要求手段と、
前記申込画面に基づいて、ユーザが購入申込のための操作を行うと、ギフト購入申込をサーバ装置に送信する申込送信手段と、
受領側ユーザが受領側端末装置を操作してギフト受取画面のＵＲＬを受け取ることができるように、前記ギフト購入申込に対してサーバ装置から受信したギフト受取画面のＵＲＬを、前記受領側ユーザに宛てて送信する受取画面ＵＲＬ送信手段と、
を備えた贈与側携帯端末装置。
【請求項４】
請求項１に記載のシステムにおいて、
前記贈与側携帯端末装置は、
前記サーバ装置から申込画面要求手段を起動する指令を受けるために、撮像又は近距離無線通信した前記検知対象から抽出した前記サーバ装置のＵＲＬに基づいて、前記サーバ装置にアクセスするサーバ装置アクセス手段をさらに備えていることを特徴とするシステム。
【請求項５】
請求項４に記載のシステムにおいて、
前記申込画面要求手段を起動する指令をサーバ装置から受けても起動しない場合には、前記申込画面要求手段を実現するためのプログラムをサーバ装置から取得するプログラム取得手段をさらに備えることを特徴とするシステム。
【請求項６】
請求項１、４又は５のいずれか一項に記載のシステムにおいて、
前記贈与側携帯端末装置から受信した自己購入申込に基づいて、指定されたユーザの住所に、商品を配送するための処理を行う商品配送処理手段を更に備え、
前記申込画面においては、少なくともギフト購入申込と自己購入申込が選択可能となっており、
前記申込送信手段は、前記申込画面に基づいて、ユーザが自己購入申込のための操作を行うと、自己購入申込をサーバ装置に送信する、
ことを特徴とするシステム。
【請求項７】
請求項１、４〜６のいずれか一項に記載のシステムにおいて、
前記申込画面においては、少なくともギフト購入申込とストック申込が選択可能となっており、
前記申込送信手段は、前記申込画面に基づいて、ユーザがストック申込のための操作を行うと、ストック申込をサーバ装置に送信し、
前記サーバ装置は、前記ストック申込を受けて、ストックとしてこれを記録部に記録し、前記贈与側携帯端末装置からのストック一覧要求を受けて、記録されたストックの一覧を含む申込画面を送信することを特徴とするシステム。
【請求項８】
請求項１、４〜７のいずれか一項に記載のシステムにおいて、
前記贈与側携帯端末装置は、
ユーザによって入力されたキーワードと、現在位置取得部より取得した現在位置とを、前記サーバ装置に送信する送信手段と、
前記サーバ装置から受信した店舗情報を表示部に表示する表示手段とをさらに備え、
前記サーバ装置は、
各店舗の位置情報及びキーワードを記録する記録部と、
前記贈与側携帯端末装置から受けたキーワードと合致するキーワードを有し、前記贈与側携帯端末装置から受けた現在位置から所定距離内にある店舗を検索し、当該店舗の店舗情報を前記贈与側携帯端末装置に送信する店舗情報送信手段とをさらに備えたことを特徴とするシステム。
【請求項９】
請求項８に記載のシステムにおいて、
前記サーバ装置は、前記店舗情報を送信する際に、ユーザ操作によって少なくとも申込画面要求手段を起動させるための起動ボタンを送信することを特徴とするシステム。
【請求項１０】
請求項８に記載のシステムにおいて、
前記サーバ装置は、前記店舗情報を送信する際に、少なくとも申込画面要求手段を自動的に起動させる起動命令を送信することを特徴とするシステム。
【請求項１１】
贈与側携帯端末装置を携帯型のコンピュータによって実現するための贈与側携帯端末プログラムであって、前記コンピュータを、
撮像又は近距離無線通信された検知対象から抽出されたギフトを特定するための特定情報と、当該撮像又は近距離無線通信の際に取得された前記贈与側携帯端末装置の端末位置とを伴って、サーバ装置に対して、申込画面を要求する申込画面要求手段と、
前記申込画面に基づいて、ユーザが購入申込のための操作を行うと、ギフト購入申込をサーバ装置に送信する申込送信手段と、
受領側ユーザが受領側端末装置を操作してギフト受取画面のＵＲＬを受け取ることができるように、前記ギフト購入申込に対してサーバ装置から受信したギフト受取画面のＵＲＬを、前記受領側ユーザに宛てて送信する受取画面ＵＲＬ送信手段として機能させるための贈与側携帯端末プログラム。
【請求項１２】
請求項１、４〜１０のいずれか一項に記載のシステムにおいて、
前記検知対象は、画像コードであって、
前記ギフトの対象となる商品の近傍に置かれたポップ若しくはタグに印刷されたもの、前記商品自体に印刷されたもの、前記ギフトの対象となる商品・役務のチラシ若しくは広告に印刷されたもの、前記商品を広告若しくは紹介するテレビ放送の画面に表示されたもの、又は、雑誌の前記商品を広告若しくは紹介するページに印刷されたもののいずれかであることを特徴とするシステム。
【請求項１３】
請求項１、４〜１０又は１２のいずれか一項に記載のシステムにおいて、
前記検知対象は、画像コードであって、
前記贈与側携帯端末装置の申込画面要求手段は、
画像コード読取プログラムにより、撮像された画像コードから抽出されたＵＲＬ及び特定情報を伴って、当該ＵＲＬの初期ページを要求する画像コード読取手段と、
ブラウザプログラムにより、受信した前記初期ページに記述された命令を実行して携帯端末プログラムを起動する起動手段と、
起動された携帯端末プログラムにより、前記ＵＲＬに対し、前記初期ページに記述された特定情報を伴ってアクセスするアクセス手段とを備え、
前記サーバ装置の申込画面生成手段は、
前記贈与側携帯端末装置の携帯端末プログラムを起動させる命令と、受信した特定情報とを記述した初期ページを生成して贈与側携帯端末装置に送信する初期ページ送信手段と、
前記携帯端末プログラムからの前記ＵＲＬに対する前記特定情報を伴ったアクセスに対して、前記特定情報により特定されるギフトの申込画面を生成する生成手段とを備えていることを特徴とするシステム。